【手続補正書】
【提出日】平成18年4月14日(2006.4.14)
【手続補正１】
【補正対象書類名】特許請求の範囲
【補正対象項目名】全文
【補正方法】変更
【補正の内容】
【特許請求の範囲】
【請求項１】
素地布から形成された抄紙布又は他の工業布は、前記素地布の第１の端部が前記素地布の第２の端部へ付けられる場合に継ぎ目を有し、予め形作られたコイルの少なくとも１つは、前記第１の端部又は前記第２の端部へ付けられ、前記布と前記コイルの間を縫い付けることにより前記コイルは前記第１の端部又は第２の端部に固定され；そして、少なくとも撚り糸は修正済のジグザグ、チェーンあるいはロック縫い・パターンで縫い付けられる。
【請求項２】
２つの予め形作られたコイルが前記第１の端部を前記第２の端部に付けるために使用される請求項１に記載の抄紙布又は他の工業布。
【請求項３】
前記継ぎ目方向に沿い、かつ前記予め形作られたコイルの両方の内側に置かれた撚り糸を更に含み、前記撚り糸と前記予め形作られたコイルが前記第１の端部を前記第２の端部に付けて使用される請求項２に記載の抄紙布又は他の工業布。
【請求項４】
素地布から形成された抄紙布又は他の工業布は、前記素地布の第１の端部が前記素地布の第２の端部へ付けられる場合に継ぎ目を有し、予め形作られたコイルの少なくとも１つは、前記第１の端部又は前記第２の端部へ付けられ、前記布と前記コイルの間を縫い付けることにより前記コイルは前記第１の端部又は第２の端部に固定され；そして
前記第１の端部又は前記第２の端部の少なくとも一方で前記予め形作られたコイルをしっかり固定するのを助力するためにジグザグパターン中で縫い付けられた少なくとも１つの撚り糸を更に含み；そして
前記第１の端部と前記第２の端部に平行あるいは機械に直交する方向、かつ前記コイルを固定させる縫いを横切る１つ以上の追加の列を縫う。
【請求項５】
撚り糸の少なくとも１つは、前記第１の端部又は前記第２の端部の少なくとも一方で前記予め形作られたコイルをしっかり固定するのを助力する前記修正済のジグザグパターン中で縫い付けられた請求項１に記載の抄紙布又は他の工業布。
【請求項６】
次の工程を含む抄紙布又は他の工業布を形成する方法：
予め形作られたコイル及び２つの両端を有する素地布を提供し；
前記予め形作られたコイルは前記布の少なくとも一方の端部に縫い付けられ；
前記予め形作られたコイルを用いて前記素地布の第１の端部を前記素地布の第２の端部に付け、それによって継ぎ目が形成され；そして
少なくとも撚り糸は修正済のジグザグ、チェーンあるいはロック縫い・パターンで縫い付けられる。
【請求項７】
２つの予め形作られたコイルが前記第１の端部を前記第２の端部に付けるために使用される請求項６に記載の抄紙布又は他の工業布を形成する方法。
【請求項８】
前記継ぎ目方向に沿い、かつ前記予め形作られたコイルの両方の内側に撚り糸が置かれる工程を更に含み、前記撚り糸と前記予め形作られたコイルが前記第１の端部を前記第２の端部に付けて使用される請求項７に記載の抄紙布又は他の工業布を形成する方法。
【請求項９】
次の工程を含む抄紙布又は他の工業布を形成する方法：
予め形作られたコイル及び２つの両端を有する素地布を提供し；
前記予め形作られたコイルは前記布の少なくとも一方の端部に縫い付けられ；
前記予め形作られたコイルを用いて前記素地布の第１の端部を前記素地布の第２の端部に付け、それによって継ぎ目が形成され；
前記第１の端部と前記第２の端部の少なくとも一方で前記予め形作られたコイルをしっかり固定するのを助力するためにジグザグパターン中で少なくとも１つの撚り糸で縫い付け；そして
前記第１の端部と前記第２の端部に平行あるいは機械に直交する方向、かつ前記コイルを固定させる縫いを横切る１つ以上の追加縫い列を縫い付ける。
【請求項１０】
少なくとも１つの撚り糸で縫い付ける工程が、前記第１の端部又は前記第２の端部の少なくとも一方で前記予め形作られたコイルをしっかり固定するのを助力する前記修正済のジグザグパターン中である請求項６に記載の抄紙布又は他の工業布を形成する方法。
【請求項１１】
少なくとも１つの糸で縫い付ける工程が、前記第１の端部又は前記第２の端部の少なくとも一方で前記予め形作られたコイルをしっかり固定するのを助力する前記修正済のジグザグパターン中である請求項６に記載の抄紙布又は他の工業布を形成する方法。
【請求項１２】
予め形作られたコイルと素地布をもたらすことによって形成された抄紙布又は他の工業布は、前記素地布の第１の端部を前記予め形作られたコイルを用いて前記素地布の第２の端部へ付け、前記布と前記コイルの間を縫い付けることにより前記コイルは前記第１の端部又は第２の端部に固定され、それによって継ぎ目が形成され；そして、少なくとも撚り糸は修正済のジグザグ、チェーンあるいはロック縫い・パターンで縫い付けられる。
【請求項１３】
２つの予め形作られたコイルが前記第１の端部を前記第２の端部に付けるために使用される請求項１２に記載の抄紙布又は他の工業布。
【請求項１４】
前記継ぎ目方向に沿い、かつ前記予め形作られたコイルの両方の内側に置かれた撚り糸を更に含み、前記撚り糸と前記予め形作られたコイルが前記第１の端部を前記第２の端部に付けて使用される請求項１３に記載の抄紙布又は他の工業布。
【請求項１５】
予め形作られたコイルと素地布をもたらすことによって形成された抄紙布又は他の工業布は、前記素地布の第１の端部を前記予め形作られたコイルを用いて前記素地布の第２の端部へ付け、前記布と前記コイルの間を縫い付けることにより前記コイルは前記第１の端部又は第２の端部に固定され、それによって継ぎ目が形成され、前記布は前記第１の端部又は前記第２の端部の少なくとも一方で前記予め形作られたコイルをしっかり固定するのを助力するためにジグザグパターン中で縫い付けられた少なくとも１つの撚り糸を更に含み；そして、
前記第１の端部と前記第２の端部に平行あるいは機械に直交する方向、かつ前記コイルを固定させる縫いを横切る１つ以上の追加の列を縫う。
【請求項１６】
撚り糸の少なくとも１つは、前記第１の端部又は前記第２の端部の少なくとも一方で前記予め形作られたコイルをしっかり固定するのを助力する前記修正済のジグザグパターン中である請求項１２に記載の抄紙布又は他の工業布。
【請求項１７】
素地布から形成された抄紙布又は他の工業布は、前記素地布の第１の端部が前記素地布の第２の端部へ付けられる場合に継ぎ目を有し、予め形作られたコイルの少なくとも１つは、前記第１の端部又は前記第２の端部へ付けられ、前記布と前記コイルの間を縫い付けることにより前記コイルは前記第１の端部又は第２の端部に固定され、
前記布は機械方向及び機械に直交する方向を含み、そして継ぎ目は次のものから本質的に成る群から選択された方法；
機械方向に横切る；機械方向に斜め；機械方向に関して“Ｖ”パターン；機械方向に関して逆“Ｖ”パターン；そして機械方向に関して鋸歯パターン、
で前記第１の端部又は前記第２の端部へ付けられる。
【請求項１８】
次の工程を含む抄紙布又は他の工業布を形成する方法：
予め形作られたコイル及び２つの両端を有する素地布を提供し；
前記予め形作られたコイルは前記布の少なくとも一方の端部に縫い付けられ；そして
前記予め形作られたコイルを用いて前記素地布の第１の端部を前記素地布の第２の端部に付け、それによって継ぎ目が形成され、
前記布は機械方向及び機械に直交する方向を含み、そして継ぎ目は次のものから本質的に成る群から選択された方法；
機械方向に横切る；機械方向に斜め；機械方向に関して“Ｖ”パターン；機械方向に関して逆“Ｖ”パターン；そして機械方向に関して鋸歯パターン、
で前記第１の端部又は前記第２の端部へ付けられる。
【請求項１９】
予め形作られたコイルと素地布をもたらすことによって形成された抄紙布又は他の工業布は、前記素地布の第１の端部を前記予め形作られたコイルを用いて前記素地布の第２の端部へ付け、前記布と前記コイルの間を縫い付けることにより前記コイルは前記第１の端部又は第２の端部に固定され、それによって継ぎ目が形成され、
前記布は機械方向及び機械に直交する方向を含み、そして継ぎ目は次のものから本質的に成る群から選択された方法；
機械方向に横切る；機械方向に斜め；機械方向に関して“Ｖ”パターン；機械方向に関して逆“Ｖ”パターン；そして機械方向に関して鋸歯パターン、
で前記第１の端部又は前記第２の端部へ付けられる。
【請求項２０】
前記第１の端部と前記第２の端部に平行あるいは機械に直交する方向、かつ前記コイルを固定させる縫いを横切る１つ以上の追加の列の縫い付けを更に有する請求項１に記載の抄紙布又は他の工業布。
【請求項２１】
前記第１の端部と前記第２の端部に平行あるいは機械に直交する方向、かつ前記コイルを固定させる縫いを横切る１つ以上の追加縫い列を縫い付ける工程を更に有する請求項６に記載の抄紙布又は他の工業布を形成する方法。
【請求項２２】
前記第１の端部と前記第２の端部に平行あるいは機械に直交する方向、かつ前記コイルを固定させる縫いを横切る１つ以上の追加の列の縫い付けを更に有する請求項１２に記載の抄紙布又は他の工業布。